(57)【要約】  火は、構造物内を極めて速く広がることがある。これを防ぐために、通常は防火扉又は防火シャッターが設置される。しかし、こうした扉又はシャッターの防犯面はそれほど評価されない。この問題を改善するために、シャッターを受容するようになっており、格納位置と伸長位置との間を移動可能な１つ以上の格納可能部材を有するガイドと、それぞれが収納位置と展開位置とに動かせる複数のパネルから形成され、且つ、開位置と閉位置との間を移動可能なシャッターとを含み、これらの配置が、シャッター閉鎖中にガイドがシャッターを受容するにつれて、パネルの配置が、収納されて並列にある関係から、展開されて端部が端部に重ねられた関係に変化する、断熱防火パネルシャッターの提供を試みる。
2017524847.tif 000002
【特許請求の範囲】
【請求項１】
領域を閉鎖するようになっている断熱防火パネルシャッターであって、
シャッターを受容するようになっており、格納位置と伸長位置との間を移動可能な１つ以上の格納可能部材を有するガイドと、
それぞれが収納位置と展開位置との間を移動可能な複数のパネルから形成され、且つ、開位置と閉位置との間を移動可能なシャッターとを含み、
これらの配置が、シャッター閉鎖中に前記ガイドが前記シャッターを受容するにつれて、前記パネルの配置が、収納されて並列にある関係から、展開されて端部が端部に積まれた関係に変化する、断熱防火パネルシャッター。
【請求項２】
前記シャッターは、前記シャッターがその開位置から閉位置に移動する際、前記１つ以上の格納可能部材を格納位置に付勢し、閉位置にあるときには前記シャッターは前記１つ以上の格納可能部材をそれ以上付勢しなくなることで、前記１つ以上の格納可能部材を前記格納位置から前記伸長位置に移動させることが可能となり、それにより前記ガイドが前記又は各パネルの前面及び後面と係合できるようになっている、請求項１に記載の断熱防火パネルシャッター。
【請求項３】
前記シャッターが前記開位置にあるとき、前記パネルの幾つか又はそれぞれは、平行に重なり合って前面と後面とが交互に対向する関係で収納される、請求項１又は２に記載の断熱防火パネルシャッター。
【請求項４】
前記パネルに動作可能に接続されたドライブモータと、
モータギアボックスの故障時に、シャッター形成中のパネルの下降速度を抑制する手段とが設けられた、請求項１〜３のいずれか一項に記載の断熱防火パネルシャッター。
【請求項５】
シャッターの移動中、少なくとも１つのパネルが２つの方向に並進運動し、前記パネルの最終位置が、最初と平行であり且つ最初とは異なる面内にある、請求項１〜４のいずれか一項に記載の断熱防火パネルシャッター。
【請求項６】
前記シャッターを形成する前記パネルが収納位置から展開位置に移動する際に、前記シャッターに付勢を与えるようになっている付勢手段が組み込まれた、請求項１〜５のいずれか一項に記載の断熱防火パネルシャッター。
【請求項７】
シャッター形成中のパネルの下降速度を抑制する前記手段が、前記付勢手段である、請求項４に記載の断熱防火パネルシャッター。
【請求項８】
前記付勢手段が、前記伝動軸に動作可能に接続された１つ以上のトーションばねによって設けられる、請求項６又は７に記載の断熱防火パネルシャッター。
【請求項９】
前記伝動軸の断面が多角形である、請求項８に記載の断熱防火パネルシャッター。
【請求項１０】
前記伝動軸の断面が円形である、請求項８に記載の断熱防火パネルシャッター。
【請求項１１】
前記又は各トーションばねに、前記又は各ばねに加えられた回転の数を示すことにより、蓄積されたトルク／位置エネルギーを示すことができるように印が付けられた、請求項８〜１０のいずれか一項に記載の断熱防火パネルシャッター。
【請求項１２】
前記ガイドが、１つ以上の膨張性ストリップで嵌合している、請求項１〜１１のいずれか一項に記載の断熱防火パネルシャッター。
【請求項１３】
少なくとも１つの膨張性ストリップが格納可能部材と嵌合している、請求項１２に記載の断熱防火パネルシャッター。
【請求項１４】
前記又は各格納可能部材が、前記シャッターが前記閉位置にあるときに前記シャッターによって前記又は各格納可能部材に対して働く付勢を取り除くようになっているキャンバで嵌合している、請求項１〜１３のいずれか一項に記載の断熱防火パネルシャッター。
【請求項１５】
前記又は各パネルが複数の金属部品を含み、前記金属部品が、断熱金属パネルを形成する完成済の前記パネルにおいて互いに接触しない、請求項１〜１４のいずれか一項に記載の断熱防火パネルシャッター。
【請求項１６】
前記金属パネルが、
ａ）前面及び後面を有するフレームと、
ｂ）前記フレームの前面及び後面に亘って延在し、前記フレームに嵌合する材料シートと、
ｃ）前記材料と前記フレームの周長との間の体積に収容される耐熱性ワッディングとを含む、請求項１５に記載の断熱防火パネルシャッター。
【請求項１７】
前記フレームが金属であり、前記材料シートの外面が、滑り嵌めによって配置された金属シートで覆われる、請求項１５又は１６に記載の断熱防火パネルシャッター。
【請求項１８】
前記ワッディングがセラミック材料とシリカ布材料とを備える、請求項１５〜１７のいずれか一項に記載の断熱防火パネルシャッター。
【請求項１９】
前記金属が鋼である、請求項１５〜１８のいずれか一項に記載の断熱防火パネルシャッター。
【請求項２０】
前記シャッターを閉じる際、前記パネルを形成する前記金属部品が互いに接触しない、請求項１〜１９のいずれか一項に記載の断熱防火パネルシャッター。
【請求項２１】
隣接するパネル間の前記金属部品が、分離部材によって離間される、請求項２０に記載の断熱防火パネルシャッター。
【請求項２２】
前記分離部材がセラミック材である、請求項２１に記載の断熱防火パネルシャッター。
【請求項２３】
前記ドライバモータを原動力とするチェーン・スプロケット機構によって前記シャッターの移動が作動する、請求項４〜２２のいずれか一項に記載の断熱防火パネルシャッター。
【請求項２４】
前記ガイドが、通常の運転時においては鉛直のガイドである、請求項１〜２３のいずれか一項に記載の断熱防火パネルシャッター。
【請求項２５】
前記シャッターを形成する前記パネルに、前記シャッターが形成されると前記パネル同士を連結するようになっている補完連結部材が設けられた、請求項１〜２４のいずれか一項に記載の断熱防火パネルシャッター。
【請求項２６】
前記補完連結部材が各パネルの長さに亘って延在する、請求項２５に記載の断熱防火パネルシャッター。
【請求項２７】
前記補完連結部材が凸部及び溝部の配置の形態をもつ、請求項２５又は２６に記載の断熱防火パネルシャッター。
【請求項２８】
形成された前記シャッターには、前記形成されたシャッターの上部と、前記断熱防火パネルシャッターを嵌合させた出入り口の上部との間のあらゆる間隙を埋めるようになっている柔軟な炎バッフルシートが更に設けられる、請求項１〜２７のいずれか一項に記載の断熱防火パネルシャッター。
【請求項２９】
請求項１〜２８のいずれか一項に記載の断熱防火パネルシャッターが組み込まれた建造物又は構造物。
【発明の詳細な説明】
【技術分野】
【０００１】
本発明は断熱防火パネルシャッターに関し、特に、防犯シャッターとしても機能できるものに関する。
【背景技術】
【０００２】
火は、極めて速く広がり、たちまち制御不能となることがある。構造物内でこのリスクを最小限にするために、建造物内のドアや窓、鉱山の立坑、及び陸上又は海上で使用される輸送手段内の通路といった開口部に、火がこれらを通過して他の領域に広がるのを防ぐ対策を講じることが望ましい。防火扉又はシャッターが使用される傾向があり（例えば、特許文献１）、これらは、多くの場合法的規制に定められた一定の時間、火事の影響に耐えられる必要がある。その結果、人々は火事から安全に避難でき、あるいは仮に閉じ込められたとしても、火事が収まるまで比較的安全でいられる。それでもなお、こうした火事では膨大な熱が発生するため、十分な時間があれば、防火扉、特に防火シャッターの表面に亘ってこの熱が伝わる可能性がある。火の影響を受けると、防火シャッターが赤熱となり、シャッターの他面側に放射熱を放出することがある。この放射熱は、時に、その火の影響のない領域にある物体を最終的に着火して火を更に広がらせるのに十分なものである。また、所謂「防火扉」又は「防火シャッター」は、防犯扉又は防犯シャッターとしては見られないことが多い。従って、火の初期の広がりを防ぐという要件と、火事の間の時間経過に伴う熱の伝達に耐える、すなわちより良い断熱材として機能するという要件との両方を満たす防火シャッターを提供することが依然として必要とされている。また、防犯シャッターとしても利用可能な防火シャッターも必要とされる。
【先行技術文献】
【特許文献】
【０００３】
【特許文献１】シンガポール特許出願第２００９０５２２６−７号
【発明の概要】
【課題を解決するための手段】
【０００４】
上記に鑑み、一態様における本発明は、領域を閉鎖するようになっている断熱防火パネルシャッターに広く取り入れられ、断熱防火パネルシャッターは、シャッターを受容するようになっており、格納位置と伸長位置との間を移動可能な１つ以上の格納可能部材を有するガイドと、それぞれが収納位置と展開位置との間を移動可能な複数のパネルから形成され、且つ、開位置と閉位置との間を移動可能なシャッターとを含み、これらの配置が、シャッター閉鎖中にガイドがシャッターを受容するにつれて、パネルの配置が、収納されて並列にある関係から、展開されて端部が端部に積まれた関係に変化する。
【０００５】
シャッターは、シャッターがその開位置から閉位置に移動する際、１つ以上の格納可能部材を格納位置に付勢し、閉位置にあるときにはシャッターは１つ以上の格納可能部材をそれ以上付勢しなくなることで、１つ以上の格納可能部材を格納位置から伸長位置に移動させることが可能となり、それによりガイドが又は各パネルの前面及び後面と係合できるようになっていると好ましい。
【０００６】
格納可能部材は、複数の付勢ヒンジと嵌合しているため、格納位置と伸長位置との間に移動することができる。
【０００７】
シャッターが閉位置にあるときの、シャッターを構成する少なくとも１つのパネルとガイドとの間に存在する隙間を狭くするには、原則的には、１つの伸長位置にある格納可能部材があれば十分である。しかし、格納位置から伸長位置へと移動するようになっている対の対向格納可能部材を有し、ガイドの両側から隙間を狭くする方が有利となる。これは、１つの格納可能部材が用いられる場合は、シャッターのいずれかの側にある隙間を狭くするように、パネルの面が他方のガイドに接触したりもたれたりしないように付勢できるようにする必要があり、少なくとも１つのパネルに付与される付勢力が極めて大きい必要があるからである。シャッターの対向面側に格納可能部材を移動させることで、ガイドといずれかのシャッターとの間の間隙を狭くする移動が行われる方がよい。
【０００８】
一般には、複数のシャッターパネルを含むシャッターは、各シャッターパネルが互いに枢動可能に接続するように設計されるのが通常である。しかし、本発明では、複数のシャッターパネルが採用される場合、少なくとも複数のパネルが互いに枢動可能に接続されないのが好ましい。また、全てのパネルが枢動可能に接続されないことがより好ましい。更に、従来の枢動可能に接続されたシャッターは、２つの形態のうち１つの形態でしか収納できないことが多い。
【０００９】
シャッターが開位置にあるとき、シャッターの薄板（又はパネル）は軸周りに回転可能に収納されるか、真っ直ぐな又は湾曲したガイドに沿って並進的に収納される。ガイドが鉛直な場合、パネルの移動は完全に並進な移動となる。ガイドが湾曲している場合、並進且つある程度回転又は回動する両方の移動が含まれる。しかし、本発明については、シャッターが動いている間、少なくとも１つのパネルが２つの方向に並進運動し、パネルの最終位置が最初と平行且つ異なった面にあるのが好ましい。
【００１０】
上述の配置は、パネルの展開時のパネルの配置を、「開扉」位置における横並びの関係から「閉扉」位置における上から下への積重関係に変化させて、シャッターを形成し、領域を閉鎖する。
【００１１】
こうした移動の形態は、例えば、特に横並びの配置が、一方のパネルの前面が他方の後面と面しており、複数のパネルがパネルの積載による同じ移動をするような従来の並進収納よりも空間（体積はない）の節約がしやすいため、有利となる。
【００１２】
断熱防火パネルシャッターには、シャッターが開位置にあるとき、少なくとも幾つか又はそれぞれが、平行に重なり合って前面と後面とが交互に対向する関係で収納できるようになっている手段が設けられるのが好ましい。
【００１３】
この手段は、一対の（水平方向に対する）対向傾斜シェルフによって実現されるのが好ましい。傾斜は、摩擦が補償されるか、より大きい。パネルを収納したこうした複数のシェルフは、各パネルが同じサイズ及び形状である場合、互い違いの関係である。
【００１４】
パネルに動作可能に接続されたドライブモータと、モータギアボックスの故障時に、シャッター形成中のパネルの下降速度を抑制する手段とが設けられるのが好ましい。
【００１５】
断熱防火パネルシャッターは、シャッターを形成するパネルが収納位置から展開位置に移動する際に、シャッターに付勢を設けるようになっている付勢手段を含むのが好ましい。こうした付勢は、小さいモータが、形成されたシャッターが展開位置から収納位置に戻るようにパネルを移動させるのに用いられるのを可能とするだけでなく、シャッターの問題が生じている側に閉じ込められた人が（適当に設置されたプルチェーンを介して）パネルを巻ける（コマンドクロール）ようにシャッターを十分に持ち上げて、手助けできる。又は、シャッターが再び閉じる前に、シャッターの右側にパネルを寄せる。
【００１６】
シャッター形成の間パネルの下降速度を停止させる手段が、付勢手段であるのが好ましい。
【００１７】
一般には、こうした付勢手段を提供するにはおもり構造が用いられる。しかし、どの形態のおもり構造も、おもり構造を保管するための比較的大きな空間を必要とし、空間が貴重なものになり得る。そのため、付勢手段には、伝動軸に操作可能に接続される１つ以上のトーションばねが設けられるのが好ましい。こうした付勢手段は極めて省スペースであり、複数のトーションばねを用いる（必要に応じた）能力が、概して特注である防火パネルシャッターの製造において、より優れた柔軟性を提供する。そのため、特定の一連の状況に合わせてトーションばねの数、長さ及び／又は種類を異ならせる能力は有用となる。こうした形態では、伝動軸の断面が円形であってもよい。しかし、伝動軸は、断面が多角形（理想的には四角形又は六角形）であるのが好ましい。こうした非円形の断面の配置は、少なくとも１つのトーションばねの湾曲端を伝動軸に固定させる固定具を更に「噛ませる」ことができ、蓄積されたトルクが付加されても経時的に逆回転する可能性が軽減される。
【００１８】
少なくとも１つのトーションばねに、少なくとも１つのトーションばねに加えられた回転の数を示すことにより、蓄積されたトルク／位置エネルギーを示すことができるように印が付けられるのが好ましい。
【００１９】
火事の間、熱が伝わる可能性を防ぐ又は抑制するために、ガイドが１つ以上の膨張性ストリップで嵌合するのが好ましい。こうした形態では、少なくとも１つの膨張性ストリップが格納可能部材と嵌合する。
【００２０】
少なくとも１つの格納可能部材に及ぼされる付勢を取り除くには幾つかの方法がある。例えば、格納可能部材は、シャッターが閉位置になると付勢を及ぼす部材が入り込む開口を有する。しかし、少なくとも１つの格納可能部材はキャンバに嵌合するのが好ましい。キャンバは、シャッターが閉位置にあるとき、シャッターによって少なくとも１つの格納可能部材に及ぼされる付勢を取り除き、シャッターが閉位置にあるとき、少なくとも１つの格納可能部材を格納位置から伸長位置に動かすことができる。
【００２１】
キャンバには、日々の操作において、駆動モータの方向を単に逆にすることでシャッターを簡単に開閉できるという利点がある。キャンバの代わりに開口が用いられる場合、開口からの付勢を及ぼす部材を格納する更なる手段の設置及び、シャッターが再び開く前の操作が必要となる。パネルは、従来の防火パネルシャッターに採用されている通常のパネルを単に備えてもよい。しかし、本発明のパネルは、本発明で使用されるように具体的に設計（及び本発明の一部を形成）されている。しかし、パネル自体は新しくそれ自体が独創的であってもよく、従来の防火パネルシャッターに用いられてもよい。
【００２２】
このため、少なくとも１つのパネルは断熱金属パネルであるのが好ましい。こうした形態では、  パネルは、
ａ）前面及び後面を有するフレームと、
ｂ）フレームの前面及び後面に亘って延在し、フレームに嵌合する材料シートと、
ｃ）材料とフレームの周長との間の体積に収容される耐熱性ワッディングとを含む、請求項１５に記載の断熱防火パネルシャッター。
【００２３】
フレームは金属であり、材料シートの外面が、滑り嵌めによって配置された金属シートで覆われるのが好ましい。こうした配置は、フレームにシートを固定するねじが無い防火シャッターを形成する従来のパネルと比べて、パネルを通る熱伝導を最小限に抑制する。
【００２４】
つまり、シートとフレームとを金属接触させる金属が無いため、伝導がゼロとなり、シートとフレームとの間の熱の伝達が抑制される。
【００２５】
パネルは、断熱金属パネルを形成する完成済のパネルにおいて互いに接触しない複数の金属部品から形成されるのが好ましい。これには、一方の金属から他方の金属及び一方のパネルから他方のパネルへの熱の伝導を防ぐという利点がある。こうした形態では、金属は鋼であり、ボックスフレームと、前鋼シートと、後ろ鋼シートとを含む。こうした形態では、前鋼シート及び後ろ鋼シートは折り曲げられ、難燃板に取り付けられる。こうした、金属（理想的には鋼）製の前シート及び後ろシートと併せたボックスフレームの配置は、（例えば）閉扉時、通常の防火扉には一般には不可能な水準の防犯も提供する。
【００２６】
これは、従来のロックされた防火扉が「け破られる」又は「大損害を受ける」のは比較的容易だが、ボックスフレーム並びに前シート及び後ろシートを含む鋼構造では異なるからである。ボックスフレームは、例えば、対角又は幾つもの水平若しくは鉛直な金属（理想的には鋼）製のクロスバーを含むことで強化される。
【００２７】
ワッディングが、セラミック材料とシリカ布材料とを備えるのが好ましい。複数の種類のワッディング部品を用いると、１種類のワッディングのみよりも、材料を通る熱の伝達をより防ぐことができる。
【００２８】
シャッターを閉じる際、パネルを形成する金属部品が互いに接触しないのが好ましい。こうした配置には、伝導によるパネル間の熱の伝達を最小限にするという利点がある。こうした形態では、隣接するパネル間の金属部品は、分離部材によって離間される。更に、こうした形態では、分離部材はセラミック材で形成される。
【００２９】
シャッターを形成するパネルの移動が、ドライバモータを原動力とするチェーン・スプロケット機構によって作動するのが好ましい。シャッターは重たいため、手動の動作よりも有益となり、同方法を原動力としない場合は開扉が困難となり得る。
【００３０】
本発明は、例えば鉱山の立坑を閉鎖するのに用いてもよい。こうした形態では、ガイドは水平側に傾斜する。しかし、本発明は従来の水平な通路や出入り口等に関わることの方が多い。
【００３１】
したがって、ガイドは、通常の運転時においては鉛直であるのが好ましい。
【００３２】
ガイドの精密部分が、非精密部分が無くてもよいとき、押出材となり得る材料から作られるのが好ましいため、ガイドは２つの金属を含むのが好ましい。こうした形態では、押出可能材料はアルミニウムである。
【００３３】
アルミニウムは比較的低い融点（約６６０℃）を有するため、通常は耐火バリアに関する材料にはふさわしくないと考えられるが、押出成形されるため、大きな工学公差に製造できるという利点がある。
【００３４】
こうした大きな公差は、隙間嵌合が正確でなければならない場合に求められる。
【００３５】
ガイド内のアルミニウムは、毎日の使用及び火事の場合における通常の摩損に耐えるのに十分な頑丈さをもつことが目的であり、防火パネルシャッターが閉扉されさえすれば、アルミニウム部品が熱で溶けたり曲がったりしても問題ない。
【００３６】
重量と費用を軽減するため、ガイドの非押出部分に固体金属を用いる代わりに、金属で覆われた耐火セメント板を用いてもよい。
【００３７】
シャッターを形成するパネルには、シャッターが形成されるとパネル同士を連結するようになっている補完連結部材が設けられるのが好ましい。こうした配置は、より高い水準の防犯をシャッターに付与する。この連結形態がなく、防火シャッターとしての性能よりも防犯性能が低い場合、侵入者の侵入を十分に可能とするほど、パネルがその中間で屈曲することが考えられる。
【００３８】
連結部材の数及び／又は配置が各パネルの全長に亘って延在する必要はないが、例えばパネルの製造費用を軽減するには、上述の形態で、補完連結部材を各パネルの長さに亘って延在させる。
【００３９】
更に、上述の形態では、補完連結部材は凸部及び溝部の配置の形態をもつ。
【００４０】
形成されたシャッターには、形成されたシャッターの上部と、断熱防火パネルシャッターを嵌合させた出入り口の上部との間のあらゆる間隙を埋めるようになっている柔軟な炎バッフルシートがシャッターに更に設けられるのが好ましい。このような構成によって、火事の際のあらゆる炎、熱及び／又は煙に対する追加的バリアがこの「間隙領域」内に設けられる。
【００４１】
別の態様では、本発明は、ここに明示された断熱防火パネルシャッターが組み込まれた建造物又は構造物に広く取り入れられる。
【００４２】
本発明をより容易に理解し実施することができるよう、添付の図面を参照する。
【図面の簡単な説明】
【００４３】
【図１】出入り口に嵌合可能であり、保護カバーが取り除かれてシャッターパネル保管設備、チェーン・スプロケット機構、及びシャッターを操作する駆動モータが露出した、閉位置にある本発明の断熱防火パネルシャッターの斜視図である。
【図２】断熱防火パネルシャッターのシャッターを構成するパネルがそれらの収納位置にある、開位置にある図１の断熱防火パネルシャッターの斜視図である。
【図３】保護カバーが取り付けられた、閉位置にある図１の断熱防火パネルシャッターの斜視図である。
【図４】保護カバーが取り付けられた、開位置にある図１の断熱防火パネルシャッターの斜視図である。
【図５】保護カバーが取り除かれた、閉位置にある図１の断熱防火パネルシャッターの背面図。
【図６】閉位置にある、図１の断熱防火パネルシャッターの側面図である。
【図７】保護カバーが取り除かれた、閉位置にある図１の断熱防火パネルシャッターの平面図である。
【図８】シャッターの開閉の第１の段階における、図１の断熱防火パネルシャッターの断面図である（チェーンを図示するため、セパレータブロック（図１８及び１９参照）を除いている）。
【図９】シャッターの開閉の第２の段階における、図１の断熱防火パネルシャッターの断面図である（チェーンを図示するため、セパレータブロック（図１８及び１９参照）を除いている）。
【図１０】シャッターの開閉の第３の段階における、図１の断熱防火パネルシャッターの断面図である（チェーンを図示するため、セパレータブロック（図１８及び１９参照）を除いている）。
【図１１】シャッターの開閉の第４の段階における、図１の断熱防火パネルシャッターの断面図である（チェーンを図示するため、セパレータブロック（図１８及び１９参照）を除いている）。
【図１２】図１の断熱防火パネルシャッターの一部を形成するガイドの１つの等角図である。
【図１３】図１２のガイドの部分分解図である。
【図１４】伸長位置にある対向する格納可能部材を示す、断熱防火パネルシャッターが閉位置にあるときの図１２のガイドの上側端部を通る断面図である。
【図１５】格納位置に付勢された図１４の対向する格納可能部材を示す、断熱防火パネルシャッターが開位置にあるときの図１２のガイドの上側端部を通る断面図である。
【図１６】ガイドの下側端における対向するキャンバによって伸長位置にある図１４の対向する格納可能部材を示す、断熱防火パネルシャッターが閉位置にあるときの図１２のガイドの下側端部を通る断面図である（セパレータブロック（図１８及び１９参照）を除いている）。
【図１７】格納位置に付勢され始めた図１４の対向する格納可能部材を示す、断熱防火パネルシャッターが開扉し始めているときの図１２のガイドの下側端部を通る断面図である（セパレータブロック（図１８及び１９参照）を除いている）。
【図１８】セパレータブロックを含む、図１の断熱防火パネルシャッターのシャッターパネルを形成するパネルの側面図である。
【図１９】セパレータブロックを含むパネルの構成に採用される材料の配置を示す、図１８の断熱パネルの一部を通る等角断面図である。
【図２０】シャッターパネル用のチェーン・スプロケット駆動機構を収容するカセットパネルの１つを示す、図１の断熱防火パネルシャッターを通る等角断面図である。
【図２１】カセット及びチェーン・スプロケット駆動機構を示す、図２０のカセットパネルの側面図である。
【図２２】カセット及びチェーン・スプロケット駆動機構を示す、図２０のカセットパネルの平面図である。
【図２３】伝動軸に嵌合された一対の右巻きトーションばね及び左巻きトーションばねを示す、図１に示すものと同様の断熱防火パネルシャッターにおけるモータ収容側の代替の実施例の斜視図である。
【図２４】図２３に示す実施例の斜視図であるが、補完固定具がトーションばねの巻き終わりを伝動軸に固定する代替の種類の伝動軸も示す。
【図２５】保護カバーが取り除かれた、断熱防火パネルシャッターの両側を包含する、図２３に示す実施例の斜視図である。
【発明を実施するための形態】
【００４４】
図１は、出入り口に嵌合可能で、火事の際に領域を閉鎖するようになっている、全体を通じて参照符号１０が付される断熱防火パネルシャッターの斜視図である。この断熱防火パネルシャッターは閉位置にあり、可動／機構部品の幾つかを示すために保護カバーを除いて示される。断熱防火パネルシャッター１０は、それぞれが垂直（鋼覆耐火性セメント板）ガイド１２の一端に嵌合している、一対の対向する軟鋼パネルカセット１１を含む。各カセット１１には、カセット１１の１つに装着される駆動モータ１５によって駆動可能な鋼製の伝動軸１４の両端に接続されたチェーン・スプロケット機構１３が装着される。
【００４５】
また、各カセット１１には、断熱防火パネルシャッター１０が開位置にあるときに、断熱防火パネルシャッター１０のシャッター１８の形成に用いられる断熱パネル１７の保管設備として作用する（図２参照）パネルシェルフ１６も装着される。各カセット１１には、使用時に収納されたパネル１７の移動を誘導するようになっているパネルガイド１９で取り付けられる（後述を参照）。図３及び４はそれぞれ、閉位置及び開位置にある保護カバー２０を含む断熱防火パネルシャッター１０を示す。
【００４６】
火事の際、閉位置にあるシャッター１８が、カセット１１に装着されている部品をある程度保護するが、チェーン・スプロケット機構１３の前方において２つのカセット１１間の間隙に懸架され、断熱防火パネルシャッター１０の上部から下方に垂下された不燃布製の柔軟な炎バッフルシート２１によって、追加的に保護される。
【００４７】
通常の動作姿勢においてシート２１の上部は、断熱防火パネルシャッター１０の上部に接続されたロッドに取り付けられてカセット１１間の間隙に懸架され、シート２１の下部は、シャッターが閉位置にあるときにシャッター１８の最上部のパネルを形成するようになっている、最後尾の断熱パネル１７の上部に接続される。このバッフルシート２１には、防火パネルシャッター１０と、それが嵌合される出入り口の上部との間に生じ得るあらゆる間隙を埋められるという利点がある。こうして、このようなシート２１によって、あらゆる炎、熱及び／又は煙に対する追加的なバリアがこの「間隙領域」内に設けられる。このシート２１は、図５及び７に更に明確に示される。
【００４８】
図８〜１１は、パネル１７のそれぞれがどのようにチェーン・スプロケット機構１３に接続されているかを示す。図示のように、駆動モータ１５を収容するカセット１１は、その駆動モータ１５をモータスプロケット（隠れており不図示）及びダブルスプロケット１３ｂの一つのスプロケットに繋ぐ下方に掛かる無端チェーン１３ａと、ダブルスプロケット１３ｄの第２のスプロケットをダブルスプロケット１３ｂの第２のスプロケットに接続する伝動チェーン１３ｃとを含む。一端がカセット１１に接続されたフリーチェーン１３ｅが、ダブルスプロケット１３ｄの第１のスプロケットに掛け渡され、パネル１７の側壁に繋がっている。フリーチェーンの他の部分であるフリーチェーン１３ｆが、このパネル１７を次のパネル１７に接続し、パネル１７のそれぞれが接続されるまでこのプロセスが繰り返される。同一の配置（駆動モータ１５をダブルスプロケット１３ｂに接続する無端チェーンは除く）が他方のカセットにも設けられる（併せて図２０〜２２参照）。
【００４９】
図８〜１１は、駆動モータ１５が作動したときに、シェルフ１６に平行に重なり合って前面と後面とが交互に対向する関係で収納されたパネル１７が、シェルフ１６に沿って移動し（パネルガイド１９に案内されて）ガイド１２を下降するにつれて、シャッター１８がどのように形成されるかも示す。
【００５０】
図１２及び１３は、ガイド１２の１つをより詳細に示す。組み立てられた各ガイド１２は、断面視がコの字形状の細長い部材を原則的に備え、一対の対向する格納可能部材２２が、ガイド１２内に収容されてそのガイド１２の一部を形成している。各格納可能部材２２は、各格納可能部材２２の下端に向かってガイド１２の長さに沿って延在しセラミックプレートキャンバ２３で終端する細長い鋼片に対してボルトで留められた、一連の連続するセラミックプレートを備える。
【００５１】
各格納可能部材２２は、その格納可能部材２２をガイド１２の他の部分に対して格納位置と伸長位置との間を移動させることが可能な３つの付勢ヒンジ２４によって、ガイド１２の他の部分に接続されている。ヒンジ２４は、各格納可能部材２２をその伸長位置側に付勢する。各格納可能部材２２の表面が一片の膨張性材料２５で嵌合され、アルミニウムガイドレール２６が、各格納可能部材２２に隣接している。
【００５２】
ガイド１２の間を通過するシャッター１８の最下パネル１７が、その前面及び後面の底部でセラミック付勢部材２７（計４つ）と嵌合する。これら付勢部材２７の機能は、シャッター１８が開位置から閉位置に移動する際に、各対の対向する格納可能部材２２をその格納位置に付勢することである。
【００５３】
シャッター１８の最下パネル１７が地面に達する時、キャンバ２３によって形成された間隙がセラミック付勢部材２７の厚さよりも僅かに大きいため、各格納可能部材２２が格納位置から伸長位置に移動することが可能となり、ガイド１２が、シャッター１８を構成する各パネル１７の前面及び後面と係合できる（図１４〜１７参照）。
【００５４】
図１８及び１９は、断熱パネル１７の１つにおける特性を更に詳細に示す。見られるように、各パネル１７は、鋼製で矩形状のボックスフレーム２８から形成され、このフレームの内周で画成された容積には、セラミックブランケットワッディング２９が充填される。シリカ製の布材料３０がフレーム２８の前後両面に亘って延在し、フレーム２８内に位置するワッディング２９を閉じ込める。また、シリカ製の布材料３０上には、更なるセラミックブランケット２９がフレーム２８の前後両面に亘って延在する。ブランケット２９及び材料３０は、フレーム２８にねじ留めされた一連の細長いセラミックプレート３１によって、フレーム２８の前面及び後面に固定される。
【００５５】
一連の細長いセラミックプレート３１は、フレーム２８の幅とは面一だが、フレーム２８の上部と下部を僅かに越えて延在する。更なるシリカ製の布３０が、セラミックで囲まれた各セラミックブランケット２９の全外面に亘って延在し、セラミックフレーム３１をフレーム２８にボルトで留めるのと同一のねじを用いて、セラミックフレーム３１に固定される。最後に、パネル１７の前面及び後面は、シート鋼３２の皮膜に覆われる。
【００５６】
各シート３２の上部及び下部はそれぞれ、断面が「ｎ」字形状及び「ｕ」字形状になるように９０度に２回折り曲げられ、各シート３２を、「滑り嵌め」によって、各組の上方セラミックプレート３１及び下方セラミックプレート３１のそれぞれと嵌合できるようにする。各シート３２のそれぞれ「ｎ」字形状及び「ｕ」字形状に折り曲げられた端部は、シート３２が所定の位置に嵌ったとき（及び、例えば火事の際に熱せられて膨張した後）に、フレーム２８と接触しないような大きさ及び形状となっている。
【００５７】
シート３２が滑り落ちるのを防ぐために、（断面が「ｎ」字形状の）一連の細長いセラミックプレート３４から成るセラミック端部キャップ３３が、フレーム２８の対向する側壁にねじ締めされる。端部キャップ３３は、一連の細長いセラミックプレート３１の上部及び下部と面一である。
【００５８】
各パネル１７の対向する側壁は、一対（上側及び下側）の持ち上げ軸３６で取り付けられる対向する上部ガイドローラ３５と、導入パネルガイド３８でそれぞれ取り付けられる対向する下部ガイドローラ３７とを更に含む。カセット１１に接続されたフリーチェーン１３ｅの一端が、上側の持ち上げ軸３６に接続し、フリーチェーン１３ｆが、下側の持ち上げ軸３６及び次のパネル１７の上側の持ち上げ軸に接続する。
【００５９】
導入パネルガイド３８は、車の窓を上げるのに用いる旧式の回転式ハンドルにやや類似しており、アーム３８ａとハンドル３８ｂとの２つの部品から成る。アーム３８ａの目的は、ガイドローラ３７の他の部分からハンドル３８ｂを離間させること、言い換えるとハンドル３８ｂを「オフセット」させることで、フリーチェーン１３ｆが、ハンドル３８ｂと干渉することなくパネル１７の側壁を垂直に下降・通過できるようにすることである。
【００６０】
また、複数の細長いセラミックセパレータ３９が、シート３２で被覆されたセラミックプレート３１の上部を越えて突出し、最上部パネル１７以外のフレーム２８の上壁の上に「着座」する。これら近接するセパレータ３９の断面は、逆「Ｔ」字形状に類似し、他凸部３９及び溝部４０構造における凸部を形成する。同様の複数の細長いセラミックセパレータ４０も、各フレーム２８の下側壁にねじ留めされ、断面が「ｎ」字形状で、シート３２で被覆されたセラミックプレート３１の下部を越えて突出する。
【００６１】
各凸部３９及び溝部４０セラミックセパレータは、各セパレータ３９と４０とが互いに接触するとき、すなわち、シャッター１８の形成時に一方のパネル１７が他方のパネル上に着座するとき、下方パネル１７のセラミックプレート３１の上面に沿って走る鋼３２の折り目と、その上方に隣接するパネル１７のセラミックプレート３１の下面に沿って走る鋼３２の折り目との間に空隙が生じるように配置される。この空隙が、パネル１７間の熱の伝導を防ぐ。
【００６２】
また、凸部３９及び溝部４０は、逆「Ｔ」の上方に延出する足が僅かに内方に傾斜し、凸部と溝部とが、溝部４０の足と逆「Ｔ」３９の底部との間だけで接触するように設計される。この配置が、シャッター１０が再び開くときに凸部３９及び溝部４０構造が「固着」してしまうリスクを最小限にする。
【００６３】
本実施例では、近接する配置のプレート３１及び３４並びにセパレータ３９及び４０を示したが、例示しない代替の実施例においては、これらはなくてもよく、コスト削減のためにその数を減らしてもよい。
【００６４】
図２０〜２２は、駆動モータ１５と、ダブルスプロケット１３ｂへの無端チェーン１３ａとを省略して、カセット１１の１つをより詳細に示す。
【００６５】
運転中、断熱防火パネルシャッター１０が開位置にあると仮定し、駆動モータ１５を作動させると、モータスプロケット及びダブルスプロケット１３ｂ並びに伝動軸１４が反時計回りに回転し始め、伝動チェーン１３ｃ及びダブルスプロケット１３ｄを同様に回転させる。その結果、フリーチェーン１３ｅが接続された第１パネル１７が、カセット１１から下方に移動し始め、ガイド１２と係合することで、そのセラミック付勢部材２５が、格納可能部材２２をその格納位置に保持することが可能となる。これにより、対向する上方ガイドローラ３５は、最終的にアルミニウムガイドレール２６の間を通過して、それらと係合する。その直後、シャッターパネル保管設備に収納された（フリーチェーン１３ｆによって第１パネルに接続している）後続の次のパネル１７が（上方ガイドローラ３５を介して）シェルフ１６の傾斜に乗り掛かり、導入パネルガイド３８が最終的にパネルガイド１９と係合することで、下方ガイドローラ３７がアルミニウムガイドレール２６の間を通過してそれらと係合できるように、当該次のパネル１７の下側端の誘導を補助する。
【００６６】
この時点で、当該次のパネルの並進運動が、シェルフ１６の傾斜を上昇する方向から鉛直に下降する方向に変化するため、上方ガイドローラ３５は、最終的にアルミニウムガイドレール２６の間を通過してそれらと係合する。
【００６７】
当該次のパネル１７の下降は、このパネル１７のフレーム２８の下側壁におけるセパレータ４０の足が、下方パネル１７のフレーム２８の上側壁におけるセパレータ３９の逆「Ｔ」の基部と接触すると終了し、各パネル１７の金属部分間に、空隙を残す。
この間、後続の次のパネルは先のパネルに追従し、ブランケット２１に接続する最後尾のパネル１７も同様に間断なく移動する。
【００６８】
第１のパネル１７の付勢部材２７がキャンバ２３を通過すると、付勢ヒンジ２４は、格納可能部材２２を伸長位置に付勢して、ブランケット２１が展開されて完全に形成され閉じたシャッター１８に接触させることができる。火事の際には熱によって膨張性耐火材料２５が発動するため、ガイド１２とシャッター１８との間を封止する。通常の運転条件下では、シャッター１８を開くには、駆動モータ１５を単に逆転させる。
【００６９】
図２３〜２５は、全体を通じて参照符号５０が付される断熱防火パネルシャッターの全体的設計の変形形態を示す。
【００７０】
この変形例には、シャッター１８のパネル１７を平衡させる、印が付いた４つのトーションばね５１〜５４の形態の付勢部が組み込まれている。２つのトーションばね５１及び５２は右巻きばね（ＲＨ）であり、他方の対５３及び５４は左巻きばね（ＬＨ）である。各対のトーションばねの一端が、アーム５５に堅く締結され、そして、そのアーム５５が、各カセット１１に接続されたバー５６に嵌合される。
【００７１】
各トーションばねの他端が、伝動軸１４と補完し伝動軸１４に堅く締結する固定具５７（古い帆船のウインドラスを連想されたい）に嵌合する。伝動軸１４におけるこうしたＲＨ及びＬＨ並びにＬＨ及びＲＨの配置によって、両方の対のばね５１及び５３並びに５２及び５４は、伝動軸１４の回転に応じて、共に巻き上げられたリ降ろされたりする。
【００７２】
図２４は、断面が正方形５８又は六角形５９で、それらに嵌合される補完固定具５７をより「噛ませる」ことができることが可能な他の伝動軸を示し、断面が多角形の伝動軸では、少なくとも１つのトーションばね５１〜５４に蓄積されたトルクによる反転が生じる可能性が低下する。
【００７３】
ばね５１及び５３並びに５２及び５４の目的は、ばね５１及び５３並びに５２及び５４が断熱防火パネルシャッター５０の開閉を手助けすることから、他の実施例で必要とされるよりも小さい駆動モータを採用できるようにすること、若しくは、同じ「一般的な」駆動モータ１５が、特別に重たいパネル１７を動かしてシャッター１８に形成できるようにすることである。更に、トーションばね５１〜５４は、本実施例において、駆動モータ１５が故障しパネル１７が落下するのを防ぐ安全機能としても働く。また、これらによって、駆動モータ１５はシャッター１８のパネル１７を持ち上げる過酷な仕事をしなくて済むため、駆動モータ１５の寿命が延びる。
【００７４】
図２３〜２５には、モータに接続された十分な長さのプルチェーン６０も示される。このプルチェーン６０の目的は、モータのブレーキを解除することでギアボックスから駆動モータ１５を取り外し、モータスプロケットが自由に移動できるようにすることである。
【００７５】
駆動モータ１５が作動すると、上述したようにシャッター１８が形成され、断熱防火パネルシャッター５０が閉じる。
【００７６】
ばね５１及び５３並びに５２及び５４に適量のトルクを初めから付加するために、ロッド（不図示）の一端が（ここでは自由に回転する）固定具５７の開口６１に挿入され、適当なトーションばねがトルクを蓄えるように巻かれ、トーションばねが十分に回転されたときに（トーションばね上の印によって示される）、固定具５７は伝動軸１４に堅く締結される。
【００７７】
このプロセスは各トーションばね５２〜５４に繰り返されるが、回転数は一致しなくてもよい。
【００７８】
こうして、本実施例では、駆動モータ１５の動作において、断熱防火パネルシャッター５０が開位置にあるとき、シャッター１８が形成されるにつれて、ばね５１及び５３並びに５２及び５４のそれぞれにおけるトルクがゆっくりと増幅する。
【図１】
2017524847.tif 000003
【図２】
2017524847.tif 000004
【図３】
2017524847.tif 000005
【図４】
2017524847.tif 000006
【図５】
2017524847.tif 000007
【図６】
2017524847.tif 000008
【図７】
2017524847.tif 000009
【図８】
2017524847.tif 000010
【図９】
2017524847.tif 000011
【図１０】
2017524847.tif 000012
【図１１】
2017524847.tif 000013
【図１２−１３】
2017524847.tif 000014
【図１４】
2017524847.tif 000015
【図１５】
2017524847.tif 000016
【図１６】
2017524847.tif 000017
【図１７】
2017524847.tif 000018
【図１８】
2017524847.tif 000019
【図１９】
2017524847.tif 000020
【図２０】
2017524847.tif 000021
【図２１】
2017524847.tif 000022
【図２２】
2017524847.tif 000023
【図２３】
2017524847.tif 000024
【図２４】
2017524847.tif 000025
【図２５】
2017524847.tif 000026
【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
領域を閉鎖するようになっている断熱防火パネルシャッターであって、
シャッターを受容するようになっており、格納位置と伸長位置との間を移動可能な１つ以上の格納可能部材を有するガイドと、
それぞれが収納位置と展開位置との間を移動可能な複数のパネルから形成され、且つ、開位置と閉位置との間を移動可能なシャッターとを含み、
これらの配置が、シャッター閉鎖中に前記ガイドが前記シャッターを受容するにつれて、前記パネルの配置が、収納されて並列にある関係から、展開されて端部が端部に積まれた関係に変化し、
前記シャッターは、前記シャッターがその開位置から閉位置に移動する際、前記１つ以上の格納可能部材を格納位置に付勢し、閉位置にあるときには前記シャッターは前記１つ以上の格納可能部材をそれ以上付勢しなくなることで、前記１つ以上の格納可能部材を前記格納位置から前記伸長位置に移動させることが可能となり、それにより前記ガイドが各パネルの前面及び後面と係合できるようになっていて、
前記シャッターが前記開位置にあるとき、前記パネルの幾つか又はそれぞれは、平行に重なり合って前面と後面とが交互に対向する関係で収納される、断熱防火パネルシャッター。
【請求項２】
前記パネルに動作可能に接続されたドライブモータと、
モータギアボックスの故障時に、シャッター形成中のパネルの下降速度を抑制する手段とが設けられた、請求項１のいずれか一項に記載の断熱防火パネルシャッター。
【請求項３】
シャッターの移動中、少なくとも１つのパネルが２つの方向に並進運動し、前記パネルの最終位置が、最初と平行であり且つ最初とは異なる面内にある、請求項１又は２に記載の断熱防火パネルシャッター。
【請求項４】
前記シャッターを形成する前記パネルが収納位置から展開位置に移動する際に、前記シャッターに付勢を与えるようになっている付勢手段が組み込まれた、請求項１〜３のいずれか一項に記載の断熱防火パネルシャッター。
【請求項５】
シャッター形成中のパネルの下降速度を抑制する前記手段が、前記付勢手段である、請求項４に記載の断熱防火パネルシャッター。
【請求項６】
前記付勢手段が、前記伝動軸に動作可能に接続された１つ以上のトーションばねによって設けられる、請求項４又は５に記載の断熱防火パネルシャッター。
【請求項７】
前記伝動軸の断面が多角形である、請求項６に記載の断熱防火パネルシャッター。
【請求項８】
前記伝動軸の断面が円形である、請求項６に記載の断熱防火パネルシャッター。
【請求項９】
前記又は各トーションばねに、前記又は各ばねに加えられた回転の数を示すことにより、蓄積されたトルク／位置エネルギーを示すことができるように印が付けられた、請求項６〜８のいずれか一項に記載の断熱防火パネルシャッター。
【請求項１０】
前記ガイドが、１つ以上の膨張性ストリップで嵌合している、請求項１〜９のいずれか一項に記載の断熱防火パネルシャッター。
【請求項１１】
少なくとも１つの膨張性ストリップが格納可能部材と嵌合している、請求項１０に記載の断熱防火パネルシャッター。
【請求項１２】
前記又は各格納可能部材が、前記シャッターが前記閉位置にあるときに前記シャッターによって前記又は各格納可能部材に対して働く付勢を取り除くようになっているキャンバで嵌合している、請求項１〜１１のいずれか一項に記載の断熱防火パネルシャッター。
【請求項１３】
前記又は各パネルが複数の金属部品を含み、前記金属部品が、断熱金属パネルを形成する完成済の前記パネルにおいて互いに接触しない、請求項１〜１２のいずれか一項に記載の断熱防火パネルシャッター。
【請求項１４】
前記金属パネルが、
ａ）前面及び後面を有するフレームと、
ｂ）前記フレームの前面及び後面に亘って延在し、前記フレームに嵌合する材料シートと、
ｃ）前記材料と前記フレームの周長との間の体積に収容される耐熱性ワッディングとを含む、請求項１３に記載の断熱防火パネルシャッター。
【請求項１５】
前記フレームが金属であり、前記材料シートの外面が、滑り嵌めによって配置された金属シートで覆われる、請求項１３又は１４に記載の断熱防火パネルシャッター。
【請求項１６】
前記ワッディングがセラミック材料とシリカ布材料とを備える、請求項１３〜１５のいずれか一項に記載の断熱防火パネルシャッター。
【請求項１７】
前記金属が鋼である、請求項１３〜１６のいずれか一項に記載の断熱防火パネルシャッター。
【請求項１８】
前記シャッターを閉じる際、前記パネルを形成する前記金属部品が互いに接触しない、請求項１〜１７のいずれか一項に記載の断熱防火パネルシャッター。
【請求項１９】
隣接するパネル間の前記金属部品が、分離部材によって離間される、請求項１８に記載の断熱防火パネルシャッター。
【請求項２０】
前記分離部材がセラミック材である、請求項１９に記載の断熱防火パネルシャッター。
【請求項２１】
前記ドライバモータを原動力とするチェーン・スプロケット機構によって前記シャッターの移動が作動する、請求項２〜２０のいずれか一項に記載の断熱防火パネルシャッター。
【請求項２２】
前記ガイドが、通常の運転時においては鉛直のガイドである、請求項１〜２１のいずれか一項に記載の断熱防火パネルシャッター。
【請求項２３】
前記シャッターを形成する前記パネルに、前記シャッターが形成されると前記パネル同士を連結するようになっている補完連結部材が設けられた、請求項１〜２２のいずれか一項に記載の断熱防火パネルシャッター。
【請求項２４】
前記補完連結部材が各パネルの長さに亘って延在する、請求項２３に記載の断熱防火パネルシャッター。
【請求項２５】
前記補完連結部材が凸部及び溝部の配置の形態をもつ、請求項２３又は２４に記載の断熱防火パネルシャッター。
【請求項２６】
形成された前記シャッターには、前記形成されたシャッターの上部と、前記断熱防火パネルシャッターを嵌合させた出入り口の上部との間のあらゆる間隙を埋めるようになっている柔軟な炎バッフルシートが更に設けられる、請求項１〜２５のいずれか一項に記載の断熱防火パネルシャッター。
【請求項２７】
請求項１〜２６のいずれか一項に記載の断熱防火パネルシャッターが組み込まれた建造物又は構造物。
【国際調査報告】
2017524847.tif 000027
2017524847.tif 000028
2017524847.tif 000029